(57)【要約】      （修正有）【課題】排水桝が腐朽して、延長排水管が落下するのを防止しようとするもので、棒状体又は紐状体と、その一方に支え具と、他方に受け具とを具備する延長排水管の落下防止装置を提供する。【解決手段】橋梁構造物に設置されている既設排水桝の排水管とこの排水管に接続する延長排水管の合計長さより長い棒状体又は紐状体１をこの棒状体又は紐状体の一方に既設排水桝の排水管よりも大の径を具備し、排水可能な形状の支え具２と他方に延長排水管よりも大の径を有し排水可能な形状の受け具３を具備することを特徴とする。【選択図】図１
0003185303.tif 000002
【実用新案登録請求の範囲】
【請求項１】
橋梁構造物に設置されている既設排水桝の排水管又は該排水管に接続されている延長排水管の合計長さ（Ｌ）より長い棒状体又は紐状体と、この棒状体又は紐状体の一方に、既設排水桝の排水管径よりも大の径を具備する円形状、又は辺若しくは対角線の少なくともひとつが排水管径より大の長さを具備する多角形状をなし、かつ排水可能な形状の支え具と、この棒状体又は紐状体の他方に既設排水桝の排水管又は延長排水管の径よりも大の径を有する円形状、又は辺若しくは対角線の少なくともひとつが延長排水管径より大の長さを有する多角形で排水可能な形状の受け具とを具備してなることを特徴とする延長排水管の落下防止装置。
【請求項２】
棒状体又は紐状体とこの一方に具備する支え具とは、固着した結合であり、棒状体又は紐状体とこの他方に具備する受け具とは、着脱自在の結合であって、この受け具に対して高さ調節具を備えていること特徴とする請求項１に記載の延長排水管の落下防止装置。
【考案の詳細な説明】
【技術分野】
【０００１】
本考案は、橋梁用排水桝に接続された延長排水管の落下防止装置に関する。
【背景技術】
【０００２】
橋梁構造物に設置されている古い排水桝又は該排水桝に接続されている延長排水管は、桁下までの十分の長さをとっていない場合が多く、そのため排水桝からの排水が、橋梁の床版、桁、支承、橋台、橋脚等を損傷させる事態を生じさせるおそれがある。
【０００３】
そこで、この課題を解決するため、通常は、図５に示すように、床版１１に設置された本体１２ａ、排水管１２ｂとからなる既設排水桝１２にあっては、排水管１２ｂの外径に密接する内径を有する延長排水管１３を接続し、その外側からねじ止め等（省略）することにより、管全体を延長する手段がとられている。
【０００４】
しかしながら、かかる排水管延長手段では、既設排水桝自体の強度が腐蝕等により弱まっていることがあり、その腐蝕進行によっては、接続した管の重みにより、既設排水桝が腐朽して接続した延長排水管とともに落下する事態が想定される。
【考案の概要】
【考案が解決しようとする課題】
【０００５】
本考案は、上述したように既設排水桝が腐朽して、延長排水管が落下するのを防止しようとするもので、以下述べる手段を提供し、解決しようとするものである。
【課題を解決するための手段】
【０００６】
基本的には、棒状体又は紐状体と、その一方に支え具と、他方に受け具とを具備する延長排水管の落下防止装置を提供する。
【０００７】
詳しくは、棒状体又は紐状体は、橋梁構造物に設置されている既設排水桝の排水管と接続されている延長排水管の合計長さ（Ｌ）より長く、その一方に、既設排水桝の排水管よりも大の径を有する円形状、又は辺若しくは対角線の少なくともひとつが排水管径より大の長さを具備する多角形をなす支え具、他方に排水桝の排水管又は延長排水管よりも大の径を有する円形状、又は辺若しくは対角線の少なくともひとつが排水管径より大の長さを具備する多角形をなす受け具を備えてなる。支え具、受け具はともに排水可能な形状をしている。
【０００８】
上記手段において、棒状体又は紐状体の一方に具備する支え具は、棒状体又は紐状体に固定されていて良いが、棒状体又は紐状体の他方に具備する受け具は、棒状体又は紐状体に脱着自在であるのが好ましい。
【０００９】
併せて、棒状体又は紐状体の他方に具備する受け具は、棒状体又は紐状体に上下に高さ調節可能であるのが好ましい。
【考案の効果】
【００１０】
本考案は、上述の手段からなるので、つぎの効果を有する。
【００１１】
請求項１において、一方に支え具を具備する棒状体又は紐状体を橋梁構造物に設置された既設排水桝より、排水管とこの排水管に接続された延長排水管に棒状体又は紐状体を挿入し、延長排水管から突出した棒状体又は紐状体の他方より、受け具を取り付けることにより、万一にも延長排水管が腐朽等により落下しようとしても、受け具が、これを受けるので、下方への落下を防止することができる。
【００１２】
請求項２において、受け具が、棒状体又は紐状体に対して着脱自在になっているので、棒状体又は紐状体を接続している排水管と延長排水管に挿入後、容易に受け具を棒状体又は紐状体に取り付けることができ、また、その下方に受け具の高さ調節金具を備えたことで、接続された延長排水管の高さ位置を調整することができる。
【００１３】
請求項１及び請求項２において、排水管の断片および／または延長排水管の落下を防止することができるので、第三者被害及び橋梁の床版、桁、支承、橋台、橋脚等を損傷させる事態を回避することができる。
【図面の簡単な説明】
【００１４】
【図１】図１は、本考案の延長排水管の落下防止装置の実施例を示す斜視図である。
【図２】図２は、本考案の延長排水管の落下防止装置を示す別の実施例を示す斜視図である。
【図３】図３は、本考案の延長排水管落下防止装置の使用例を示す一部切欠図である。
【図４】図４は、本考案の延長排水管落下防止装置の別の使用例を示す一部切欠図である。
【図５】図５は、従来の延長排水管の施工例を示す一部切欠図である。
【考案を実施するための形態】
【００１５】
本考案に係る延長排水管落下防止装置は、以下の図に示すように、基本的には、棒状体又は紐状体１の一方に支え具２、他方に受け具３を有してなっている。
【００１６】
棒状体又は紐状体１は、橋梁構造物に設置されている既設排水桝１２の本体１２ａに接続している排水管１２ｂと延長排水管１３の合計長さ（Ｌ）より長い長さを有し、支え具２を棒状体又は紐状体１の上方に、受け具３を棒状体又は紐状体１の他方に具備している。
【００１７】
支え具２は、既設排水桝１２の排水管１２ｂより大の径を有するリングにしてなり、受け具３は、延長排水管１３の外径より大の径を有するリング状にしてなる。
【００１８】
これらの材質は、腐蝕しにくく、一定の荷重に耐え得る材質であれば、たとえば、鋼、ステンレス、炭素繊維、アラミド繊維が用いられる。
【００１９】
支え具２、受け具３は、排水可能な形状であれば、円状でも方形状その他の多角形状でも良く、特に形状を問わない。
【００２０】
支え具２は、必要により、棒状体又は紐状体１に上下移動可能に設置して、高さ調節金具４により支承するのが好ましい。
【００２１】
棒状体又は紐状体１と高さ調節金具４とは、棒状体又は紐状体１に外ねじを設けるとともに高さ調節金具に内ねじを設け、互に螺合する構成としたり、棒状体又は紐状体１を挿通した高さ調節金具に横から開孔した開孔壁に内ねじを形成してねじを挿通する等、棒状体又は紐状体１に受け具３が固定できればよい。
【実施例１】
【００２２】
この実施例は、図１に示すように、支え具２は、棒状体又は紐状体であるステンレス製のワイヤー１の上端に、鋼製のリング２ａに十字に架け渡した接続しろ２ｂを溶接等により固着してなり、受け具３は、リング３ａとワイヤー１のナット状の挿通具３ｃとを架け渡す接続しろ３ｂとを溶接等により固着してなり、ワイヤー１に着脱自在にしてなる。４は高さ調節金具である。
【００２３】
このようにしてなる延長排水管落下防止装置は、既設の橋梁構造物である床版１１に据付けられている既設排水桝１２の上方からワイヤー１の下端を挿通するとともに予め用意した排水管１２ａの外径よりも大の内径を有する延長排水管１３を接続し、延長排水管１３の下方に引き出したワイヤー１の下端から、このワイヤー１を受け具４及び高さ調節金具４に挿通し、高さ調節をすることにより設置される。
【００２４】
このようにして形成され、設置された延長排水管落下防止装置は、排水管１２ａまわりの既設排水桝１２内に支えられており、排水桝１２の排水管１２ａが腐朽等によって落下が生じても落下片を受け具３が受け止め、落下片の下方への落下を防止する。
【実施例２】
【００２５】
この実施例は、図３に示すように、棒状体及び紐状体であるステンレス製のワイヤー１の上端に、鋼製のリング２ａに十字に架け渡した接続しろ２ｂを溶接等により固着してなり、受け具３は、ワイヤー１の下端に、鋼製のリング３ａに十字に架け渡した接続しろ３ｂを溶接等により固着してなる。ここで、ワイヤー１の下端への受け具３の固着は後述するように既設の橋梁構造物である床版１１に据え付けられている既設排水桝１２に接続されている排水管１２ｂとこれに接続する延長排水管１３に棒状体又は紐状体が挿通されて、下方に引き出されてから行う。
【００２６】
このようにしてなる延長排水管落下防止装置は、既設の橋梁構造物である床版１１に据え付けられている既設排水桝１２に接続されている延長排水管１３に上方からワイヤー１の下端を挿通するとともに管継手１４を用いて接続した排水管１２ｂと同内外径の延長排水管１３の下方に引き出し、ワイヤー１の下端に受け具３を溶接等により固着することにより設置される。
【００２７】
このようにして形成され、設置された延長排水管落下防止装置は、実施例１と同様に、排水管１２ｂまわりの既設排水桝１２内に支え具２が支えられ、排水管が腐朽等によって、落下が生じても、落下片を受け具３が受け止めて、落下片の下方への落下を防止する。
【産業上の利用可能性】
【００２８】
本考案に係る延長排水管落下防止装置は、上述の実施例に限定されるものではなく、橋梁構造物に設置されている排水構造に広く利用することのできるものである。
【符号の説明】
【００２９】
１      棒状体又は紐状体
２      支え具
２ａ    リング
２ｂ    接続しろ
３      受け具
３ａ    リング
３ｂ    接続しろ
３ｃ    挿通具
１２    既設排水桝
１２ａ  本体
１２ｂ  排水管
１３    延長排水管
【図１】
0003185303.tif 000003
【図２】
0003185303.tif 000004
【図３】
0003185303.tif 000005
【図４】
0003185303.tif 000006
【図５】
0003185303.tif 000007